(57)【要約】【課題】本考案は収容脱抜が容易で軽量でありながら堅牢な紙製のディスクケースを提供することにある。【解決手段】平面形状が矩形状の板紙を積層して形成した光ディスクケースにおいて、光ディスクを載置する上面が平滑な平面を形成するベース層と、このベース層の上に配置され、板厚を光ディスクの厚みよりも厚くし、円形状のディスク収容部となる第１の開口を穿設した中間層と、この中間層の上に配置され、上記ディスク収容部の上側に上記ディスク収容部の略半分を開口して上記光ディスクの出入口とする半円形状の第２の開口を穿設した表面層とを具備し、前記中間層には、上記ディスク収容部に収容されている光ディスクを中心部から上記第２の開口の半円形状の頂部の方向へずらすために必要な空間を確保する拡張部を上記第１の開口に連続して設けるように構成にする。【選択図】図１
0003118423.tif 000002
【実用新案登録請求の範囲】
【請求項１】
平面形状が矩形状の板紙を積層して形成した光ディスクケースにおいて、
光ディスクを載置する上面が平滑な平面を形成するベース層と、
このベース層の上に配置され、板厚を光ディスクの厚みよりも厚くし、円形状のディスク収容部となる第１の開口を穿設した中間層と、
この中間層の上に配置され、上記ディスク収容部の上側に上記ディスク収容部の略半分を開口して上記光ディスクの出入口とする半円形状の第２の開口を穿設した表面層とを具備し、
前記中間層には、上記ディスク収容部に収容されている光ディスクを中心部から上記第２の開口の半円形状の頂部の方向へずらすために必要な空間を確保する拡張部を上記第１の開口に連続して設けた
ことを特徴とする光ディスクケース。
【請求項２】
上記中間層と上記表面層とにそれぞれ開口している上記第１の開口と上記第２の開口との半円形部分の円弧形成箇所に連続して指挿入可能な半円形状または三日月形状の小開口を切欠き形成したことを特徴とする請求項１記載の光ディスクケース。
【請求項３】
上記ベース層と上記中間層との間に、ディスク外径よりやや小径の第３の開口を穿設し、この第３の開口の周縁部で光ディスクの周辺部を支持するディスク支持用中間層を設けたことを特徴とする請求項１または請求項２に記載の光ディスクケース。
【請求項４】
上記拡張部の最大幅を１〜３ｍｍとしたことを特徴とする請求項１乃至請求項３のいずれかに記載の光ディスクケース。
【考案の詳細な説明】
【技術分野】
【０００１】
本考案は、音楽用のＣＤ（コンパクトディスク）及び記録用ＣＤであるＣＤ−ＲＯＭ、ＣＤ−Ｒ、ＣＤ−ＲＷ、あるいはＤＶＤ（デジタル・ビデオ・ディスク）（以下、これらを単に光ディスクと総称する）を収容するための、板紙を積層して形成した光ディスクケースに関する。
【背景技術】
【０００２】
従来の光ディスクを収容するケースはプラスチックを成型して作られている。このケースに収容される光ディスクは円形に形成され中央に孔をもつ。ディスクケースの一部として形成されるトレイには光ディスクの中央に設けられた孔と係合する突起を有するディスク保持部が設けられ、このディスク保持部に光ディスクを係合保持している（特許文献１，２）。
【０００３】
しかし、光ディスクは通常、記録内容が中央部の開口の近傍から記録が開始されるので、中央部近傍のデーター記録部の保護が重要であるのに、従来の光ディスクケースではディスク保持部がディスク中央部を保持するように形成されている。このためディスク支持の際には、ディスク保持部が堅牢過ぎ、脱着が困難な事も多い。また細かい切り込みのあるディスク保持部では、その成形には素材上無理があり、結果として壊れ易い製品が多い。さらに素材の特質上、トレイとケースは幅が厚くなり、かさばり、しかも欠けやすい。
【０００４】
これらの改善のためにディスク保持部をディスク外周側で保持する型式のものが考案されている。
例えば、プラスチックに代って堅牢且つ軽量の紙製のディスクケースでは、台紙に、コンパクトディスクに着脱可能に粘着しコンパクトディスクの中央孔に対応する穴部を有する粘着手段と、この粘着手段の周りに取り外し用間隙を介して不連続状態に配置してコンパクトディスクの外周に当接して保持する突堤とを設け、前記突堤の高さ寸法を台紙からコンパクトディスク表面までの高さ寸法より大きくし、外包材で覆うことができるようにしたもの（特許文献３）、あるいは、厚紙からなる表板、ディスク保持板、裏板とをディスク保持板を挟んで貼り合わせ、ディスク保持板の切込み側にはディスク径より若干狭い小段部を設けたもの（特許文献４）等が挙げられる。
【０００５】
【特許文献１】実用新案第３０９００４４号
【特許文献２】特開平０９−０１２０７４号公報
【特許文献３】特開平０８−３３７２８１号公報
【特許文献４】特開平１１−３４９０８０号公報
【０００６】
（問題点）
上記で例示されたような、軽量でありながら堅牢な紙製のディスクケースは、粘着剤により張り付けて保持するか、あるいはディスク保持板の切込み側にディスク径より若干狭い小段部を設けてディスク外周を挟持して保持するようにしているため、着脱時に貼着面あるいは挟持されているディスク外周部を強引に引き離す必要があり、ディスク自体に必要以上の力を加えて、光ディスクに曲げ応力を発生させ、ディスク面の歪みや傷付きあるいは汚れの発生等が生じるという問題点があった。
【考案の開示】
【考案が解決しようとする課題】
【０００７】
本考案は、従来技術における上記問題点に鑑みて成されたものであり、これを解決するため具体的に設定した技術的な課題は、ディスク中央部を保持するためのディスク保持部をなくし、収容脱抜が容易で、歪み、傷付き、壊れ、欠け、汚れ等の発生の恐れがなく、しかも、ケースの厚みが比較的薄くなり、軽量でありながら堅牢な紙製のディスクケースを提供することにある。
【課題を解決するための手段】
【０００８】
本考案における上記課題が効果的に解決される光ディスクケースを特定するために、必要と認める事項の全てが網羅されて、具体的に構成された、課題解決手段を以下に示す。
光ディスクケースに係る第１の課題解決手段は、平面形状が矩形状の板紙を積層して形成した光ディスクケースにおいて、光ディスクを載置する上面が平滑な平面を形成するベース層と、このベース層の上に配置され、板厚を光ディスクの厚みよりも厚くし、円形状のディスク収容部となる第１の開口を穿設した中間層と、この中間層の上に配置され、上記ディスク収容部の上側に上記ディスク収容部の略半分を開口して上記光ディスクの出入口とする半円形状の第２の開口を穿設した表面層とを具備し、前記中間層には、上記ディスク収容部に収容されている光ディスクを中心部から上記第２の開口の半円形状の頂部の方向へずらすために必要な空間を確保する拡張部を上記第１の開口に連続して設けたことを特徴とするものである。
【０００９】
光ディスクケースに係る第２の課題解決手段は、上記中間層と上記表面層とにそれぞれ開口している上記第１の開口と上記第２の開口との半円形部分の円弧形成箇所に連続して指挿入可能な半円形状または三日月形状の小開口を切欠き形成したことを特徴とする。
光ディスクケースに係る第３の課題解決手段は、上記ベース層と上記中間層との間に、ディスク外径よりやや小径の第３の開口を有し、この第３の開口の周縁部で光ディスクの周辺部を支持するディスク支持用中間層を設けたことを特徴とする。
光ディスクケースに係る第４の課題解決手段は、上記拡張部の最大幅を１〜３ｍｍとしたことを特徴とする。
【考案の効果】
【００１０】
このような光ディスクケースに係る第１の課題解決手段では、中間層の第１の開口によってディスク収容部が形成され、そのディスク収容部の背面側にはベース層の平滑な平面が設けられ、平滑な平面を形成するベース層に沿わせて光ディスクを保持するため、ディスク収容部の中央部には光ディスクの中央部に形成されている孔に係合し光ディスクを保持するディスク保持部を不要にすることができる。
【００１１】
ディスク収容部の前面側には、表面層の半円形に開口した第２の開口と、第１の開口における第２の開口を形成した側と反対側に位置する第１の開口の略半分を覆う非開口部とが設けられ、表面層の第２の開口を介して光ディスクを第１の開口により形成されたディスク収容部に容易に挿入あるいは脱抜することができ、しかも容易には抜け落ちることがなく、また光ディスクを拡張部形成側へずらすことにより、ディスク収容部の前面側に開口した第２の開口における円弧形成側の周縁部が、同じ方向に位置する拡張部に庇のように覆い被さるため、この部分が光ディスクをスライドさせて第２の開口から引き出さずに第２の開口における円弧形成箇所の奥に位置する拡張部の円弧形成箇所に当接するまで移動すると、第２の開口における円弧形成箇所の周縁部が光ディスクの周端部を上側から抑えて支持し、光ディスクのおよそ半分を支持する表面層の非開口部とともに両端支持の形で支持することができ、ディスク収容部に光ディスクを安定良く収容することができ、抜けおよびガタツキを効果的に防止することができる。
【００１２】
ベース層、中間層および表面層が板紙で形成されているため振動や手荒な扱いにも壊れず、光ディスクの収容および取出しが容易になるとともに光ディスクが脱落する可能性も少なくなり、また光ディスクをケースごと落としても欠損することが避けられるので、光ディスクケースの信頼性を向上することができる。
さらに表面層が印刷容易な紙で形成されているため、自由にデザインされた美しいケースを製作することができ、商品価値を高めることができる。
【００１３】
光ディスクケースに係る第２の課題解決手段では、上記中間層と上記表面層とにそれぞれ開口している第１の開口と第２の開口との半円形部分の円弧形成箇所に連続して指挿入可能な半円形状または三日月形状の小開口を切欠き形成したことにより、光ディスク取出し時には光ディスクの外縁部に指掛け可能になり、光ディスクの取出しが容易にできるようになって使い勝手が向上し、商品価値を高めることができる。
光ディスクケースに係る第３の課題解決手段では、ディスク支持用中間層を形成する板紙に設けられた第３の開口の周縁部が光ディスクの外縁部を保持するため、光ディスクの中央部を保持するディスク保持部が不要となり、振動や手荒な扱いにも壊れず、光ディスクの脱落の可能性も少なくなり、ケースに収容された光ディスクをケースごと落としても欠損しないので、光ディスクケースの信頼性を向上することができる。
光ディスクケースに係る第４の課題解決手段では、光ディスクを１〜３ｍｍスライドすることができるから、スライド量がわずかで、目立たない範囲で光ディスクを移動させることにより両端支持にすることができ、抜けやガタツキを効果的に防止することができる。
【考案を実施するための最良の形態】
【００１４】
以下、本考案による最良の実施形態を具体的に図示説明する。
ただし、この実施形態は、考案の主旨をより良く理解させるため具体的に説明するものであり、特に指定のない限り、考案内容を限定するものではない。
【００１５】
〔第１実施形態：単数収容型板紙３枚重ねの光ディスクケース〕
この第１実施形態における光ディスクケース１０は、図１〜図４に示すように、堅目の板紙３枚を下方より順にベース層１１、中間層１２、表面層１３と積層して形成したケースである。
最下層を形成するベース層１１は、表面（上面）が平滑な平面を形成する矩形の板とし、裏面（下面）は机やパソコンデスクの上に置いたり、ブックスタンドに立設したりすることができるように、つや消し状態ではありながら比較的滑らかな硬い表面にし、表面側は中間層１２を粘着剤により接着することができるようにするとともに、接着しない部分では比較的硬くかつ滑り易い平滑面を形成する。
【００１６】
中間位置に挟まれる中間層１２は、光ディスク１４（図４参照）を収容するディスク収容部（第１の開口）１２ａを備えた孔明き枠材であり、下面をベース層１１の上面に接着するとともに、上面に表面層１３の下面を接着する。中間層１２の板厚は光ディスク１４の厚み（約１ｍｍ）よりも厚くする。
【００１７】
そして、ディスク収容部１２ａと拡張部１２ｂとが組み合わされた平面形状は、光ディスク１４を収容するに必要な径を有する円形を半割りにして、半割りにされた２つの半円形の間に、円形の直径と同一の長さの長辺を有するとともに光ディスクのスライド量に等しい長さの短辺を有する細長い長方形を挿入して形成した２つの半円と１つの細長い長方形の組合せ形状に形成することにより、ディスク収容部１２ａに収容されている光ディスク１４を中心部から一方の半円形状の頂部の方向へずらすために必要な空間である拡張部１２ｂをディスク収容部１２ａに連続して設けた形状に形成される。
【００１８】
表面層１３は、中間層１２の上に接着して中間層１２における円形状のディスク収容部１２ａに形成された半円形部分の一方を覆う（以下、ディスク収容部１２ａを覆う部分を非開口部１３ｂという）とともに、他方の半円形部分と同じ向きに合わせ、非開口部１３ｂにより覆われる方の半円形部分と合わせるとディスク収容部１２ａと同形になる位置に配置した略半円形の出入口（第２の開口）１３ａを形成する。
このような出入口１３ａを形成したことによって、光ディスク１４が中間層１２のディスク収容部１２ａに出入口１３ａを介して容易に収容でき、あるいは取出しできるようになる。
【００１９】
また出入口１３ａの湾曲線形成側では、その頂部が、ディスク収容部１２ａから突出している拡張部１２ｂの湾曲線形成側の頂部よりもディスク収容部１２ａの中心側に寄せて形成されているから、拡張部１２ｂの湾曲線形成側の端部に対して出入口１３ａの湾曲線形成側の端部が庇のように張り出した状態になり、拡張部１２ｂが出入口１３ａの湾曲線形成側の端部により被われている潜没部（外周端潜没穴）を形成するから、光ディスク１４を持ち上げないで取出す方向にスライドさせる場合には、拡張部１２ｂに光ディスク１４の外周端部が挿入されて、出入口１３ａの湾曲線形成側の端部により被われるとディスク抜出しを阻止するように支持され、光ディスク１４の外周端潜没側と反対側の端部が非開口部により支持されているので、両端支持の形で光ディスク１４を収容することができるようになる。
【００２０】
表面層１３による中間層１２のディスク収容部１２ａに連続した拡張部１２ｂを覆う範囲は、ディスク収容部１２ａの一方の半円形部分よりも突出した拡張部１２ｂよりも大きくならない範囲であり、かつ収容された光ディスク１４がディスク収容部１２ａから飛び出さないで済む程度に覆うことができる範囲にする。また、表面層１３に設けられた出入口１３ａは、湾曲線形成側の端部が少なくとも光ディスク１４の外周部に形成された非記録部位を被うに必要な幅の最大被覆幅を有する程度に、拡張部１２ｂの同方向に向いた湾曲線形成側の頂部からずれているように配置する。
【００２１】
例えば、外形が一辺を各１４０ｍｍの正方形にした光ディスクケースで、中央部に直径が１２０ｍｍの光ディスク１４を収容する場合、中間層１２の半円形部分と長方形との組合せからなるディスク収容部１２ａの内寸法は、光ディスク１４との間隙をディスク外方に０．５ｍｍあけるものとすると、円形部分の直径（内径）が１２１ｍｍ、長方形部分の長辺が円形部分の直径と同じで、短辺の長さが光ディスク１４の外周部に形成された非記録部の幅と同じ１〜３ｍｍ、好ましくは１ｍｍとする。また、表面層１３の出入口１３ａは、円弧部分の半径が６０．５ｍｍ、直線部分の長さが１２１ｍｍの半円とし、出入口１３ａを形成する半円の直線部分はディスク収容部１２ａの円形部分の直径が位置する箇所に略一致するように配置する。
【００２２】
（作用効果）
このように構成された光ディスクケース１０では、ディスク収容部１２ａが光ディスク１４を包み込むような形状と大きさを有するとともに、表面に開口している部分では、表面層１３の出入口１３ａによって光ディスク１４の収容部の略半分が開口されているため、光ディスク１４の挿入脱抜を容易に行うことができる。
中間層１２のディスク収容部１２ａを形成している孔の輪郭は、表面層１３の出入口１３ａによって形成されている孔の輪郭に対して、表面層１３における出入口１３ａの湾曲線形成側の輪郭よりも、この湾曲線形成側の輪郭と同じ向きになる拡張部１２ｂの半円形成側の輪郭が外方にずれているから、外方へ埋没する円弧状の潜没穴を形成することになり、この光ディスクケース１０はディスク引抜側の端部に外周端潜没穴を設けたディスクケースになる。
【００２３】
拡張部１２ｂは、中間層１２のみに形成されるから、この部分まで光ディスク１４がきていれば、光ディスク１４が表面層１３によって表面側が被われ、光ディスク１４の外周端縁はディスクの放射方向と前面側との両方の動きが阻止されるようになり、光ディスクケース１０から光ディスク１４が抜け落ちることを防止する。
さらに、中間層１２のディスク収容部１２ａに収容された光ディスク１４が拡張部１２ｂ側にずらされると、光ディスク１４の外周縁が表面層１３の半円形の縁部によって被われて、反対側に位置する半円形部分に収容されている箇所と拡張部１２ｂに入り込んだ部分とによって２点支持の形態で支持されるようになり、光ディスク１４が不慮の曲げ作用を受けることが避けられ、より安定良く収容される。
【００２４】
また、光ディスクケース１０が全て厚紙で構成されているから、プラスチック製の突出したディスク保持部も無いので、堅牢でスリムなケースが実現でき（堅牢さ）、構造上、光ディスク１４の確保が万全であり（信頼性）、また紙素材は印刷が簡単で、自由にデザインされた美しいケースを作ることができ（優美さ）、さらに、スリムで堅牢な構造の光ディスクケース１０を並べて、複数の光ディスク１４を収容するケースを製作することもできて拡張性のある光ディスクケースが実現できる（効率性）。
また、例えば０．８ｍｍの板紙を３枚重ねた場合、ＣＤを前後からぴったり押さえ込んで、中で遊びが少なく信頼度も高くなる（郵送などに最適）。さらにまた、１ミリの板紙を重ねた場合、全体の厚みと重量感が出て、信頼度が一層増すようになる。
【００２５】
〔別形態〕
以下に、上記第１実施形態を基礎として応用例を別形態として示す。
これらの別形態では、上記第１実施形態の各部と同様の部分については同じ符号を付して説明を省略する。
【００２６】
〔第２実施形態：指穴付き光ディスクケース〕
第２実施形態は、図５〜図７に示すように、第１実施形態と同様に一方向に半円が位置ずれした形に形成されたディスク収容部１２ａと出入口１３ａとの輪郭の外方に、指が一つ入る大きさの一部を切り欠いた半円形状または三日月形状からなる小開口（以下、指穴という）１２ｃ，１３ｃを設けた指穴付き光ディスクケース２０を形成する。
この指穴１２ｃ，１３ｃは、ケース材料である板紙の隅部に生じたディスク収容部１２ａと出入口１３ａの輪郭よりも外側の非加工部分に突出するように設ける。
【００２７】
この指穴１２ｃ，１３ｃの大きさは、光ディスク１４を掴むための指が入れば良く、特別な寸法指定はない。例えば、外形を一辺１４０ｍｍの正方形にした光ディスクケース１０で、直径１２０ｍｍの光ディスク１４をディスク収容部１２ａに収容する場合には、半円形を形成する曲線と交わり、外方に突出する方向に描かれる半径１０ｍｍ、突出方向への突出量（高さ）１２ｍｍの円弧を形成する指穴１２ｃ，１３ｃでは、内部に指が楽に入って光ディスク１４の外周縁を指で容易に係止して光ディスク１４を出し入れすることができるようになる。
【００２８】
〔第３実施形態：蓋付き光ディスクケース〕
第３実施形態は、図８，９に示すように、ベース層１１に折曲げ部１５を介して蓋１６を接続し、折曲げ部１５を基点として折り曲げることにより、表面層１３の全体を蓋１６により覆うことができるように形成した蓋付き光ディスクケース３０を形成する。
蓋１６は、平滑な平面を形成する矩形の板紙とし、表面層１３に当接する側（内面側）の表面はつや消し状態ではありながら比較的滑らかな硬い表面にし、蓋１６を閉じた時に表面に出る外表面は比較的硬くかつ平滑な面を形成するか、あるいは化粧板として模様を付けるようにする。
【００２９】
折曲げ部１５は、ベース層１１に対して蓋１６の非接続端側を近接離間する方向へ折曲げ可能に接続するとともに多数回の折曲げにも耐え得る柔軟性を有する接続部材によって形成する。折曲げ部１５の材料は原則として紙を用いる、しかし、紙を構成する材料の他にプラスチック系繊維材料を混入することにより強度と柔軟性を向上するようにしても良い。また、折曲げ部１５は紙の他に他の材料例えばプラスチック製の薄い被膜を積層しても良い。
【００３０】
〔第４実施形態：複数収容型光ディスクケース〕
第４実施形態は、図１０に示すように、ケース形態を複数枚（図中４枚）の光ディスク１４を収容できる型にした複数収容型光ディスクケース４０を形成する。各光ディスク１４の収容部は第１実施形態のディスクケースに形成された各部と同様に形成する。
この場合には、例えば、外形寸法が縦２７０ｍｍ、横２８０．４ｍｍの大きさを有する光ディスクケース１７に、光ディスクケース１７の中央部から縦方向に直線状の折曲げ部１７ａを形成して２つ折りにすることができるようにするとともに、折曲げ部１７ａの両側にそれぞれ光ディスク１４を２枚ずつ縦並びに収容する光ディスク１４の収容部１７ｂ，…，１７ｂを配置する。各収容部１７ｂ，…，１７ｂは形状を上記の第１実施形態と同じ形状に形成するとともに、折曲げ部１７ａの両側に対称形に配置して、全ての収容部１７ｂ，…，１７ｂを開口の向きが横方向外向きになるように横転した向きに形成する。
より多数の光ディスク１４を収容するには、折曲げ部１７ａに接続する２枚ずつ縦並びに収容する収容部１７ｂ，１７ｂを設けた部分ケースを増加して多数の頁を形成するように折曲げ部１７ａで固着することにより、必要なディスク枚数を収容できるようにする。
【００３１】
このように形成すると、光ディスク１４を密に収容できるようになるとともに、一度に複数の光ディスク１４を安全に持ち運ぶことができ、しかも収容時には光ディスク１４を横方向に両側端から折曲げ部１７ａに向けて挿入し、抜き出すときには折曲げ部１７ａ側から両側端に向けて抜き出すことにより、容易に収容脱抜でき、使い勝手の良い複数収容型の光ディスクケース１７を実現することができる。
また複数の光ディスク１４をスリムでコンパクトに収容できるようになり、セットものの光ディスク１４等は、ブックレットを挟み込んだ、紙製の一体型のケースになる。このため、複数の光ディスク１４をスリムに収容する光ディスクケース１７により、快適な光ディスク１４の保存環境を実現することができる。
【００３２】
〔第５実施形態：単数収容型４枚重ねの光ディスクケース〕
第５実施形態は、図１１〜図１５に示すように、第３実施形態の光ディスクケース３０におけるベース層１１と中間層１２との間に、拡張部１２ｂを有するディスク収容部１２ａを相似的に縮小してディスク外径よりやや小径の半円形を基礎にした形状の縮小孔（第３の開口）１８ａを穿設したディスク支持用中間層１８を介装して、縮小孔１８ａの周縁部で光ディスク１４の周端部を支持するようにした蓋付きの光ディスクケース５０である。
【００３３】
ディスク支持用中間層１８は、外形寸法をベース層１１、中間層１２、表面層１３等と同じく一辺が１４０ｍｍの正方形の板紙とし、板厚はベース層１１、表面層１３等と同等かまたはこれらよりも薄くし、光ディスク１４の外周縁を支持した時にディスク中央部がベース層１１の表面に接触しなければ良いとする。ディスク支持用中間層１８を形成する板紙は、裏面の全面と表面の中間層１２との接着面とを接着に適した表面状態にし、表面の中間層１２と接着しない部分はベース層１１と同様に比較的硬くかつ滑り易い平滑面を形成する。
【００３４】
ディスク支持用中間層１８に穿設する縮小孔１８ａは、中心を中間層１２に設けるディスク収容部１２ａの半円形部分の円弧を描く中心点と同心にして、光ディスク１４の外周縁を支持できる程度にディスク外径よりも小さい径に縮小した内径となるように形成する。例えば、図示例では、ディスク支持用中間層１８の縮小孔１８ａは中間層１２に設けるディスク収容部１２ａの輪郭よりも１ｍｍ縮小された輪郭を形成し、縮小孔１８ａの中心は中間層１２に設けたディスク収容部１２ａの半円形部分を形成する円弧の中心と縮小孔１８ａの半円形部分を形成する円弧の中心とを同心にする。
【００３５】
このような構成では、接着すべき面を接着して光ディスクケース５０の形態に成形した場合には、光ディスク１４を表面層１３の出入口１３ａを通過して中間層１２のディスク収容部１２ａに収容する時、光ディスク１４の先端がベース層１１の表面に沿って滑り込み、中間層１２のディスク収容部１２ａよりも小径に形成されて表面側に露出しているディスク支持用中間層１８における縮小孔１８ａの周縁部に光ディスク１４の外周端部が当接し、この当接部がベース層１１の表面からディスク支持用中間層１８における縮小孔１８ａの周縁部に移行し、光ディスク１４の全体がディスク収容部１２ａに収容される頃には光ディスク１４の外周端部が全てディスク支持用中間層１８における縮小孔１８ａの周縁部に載置されるようになる。
【００３６】
このため、光ディスク１４が容易に脱落することなく収容されるとともに、光ディスク１４の外周部がディスク支持用中間層１８における縮小孔１８ａの周縁部に載置されてディスク支持用中間層１８を形成する板紙により光ディスク１４の外周縁部を保持することができ、光ディスク１４の脱落の可能性も少なくなり、振動や手荒な扱いにも壊れず、光ディスクケース５０に収容された光ディスク１４を光ディスクケース５０ごと落としても欠損することが避けられ、光ディスクケース５０の信頼性を向上することができる。
【図面の簡単な説明】
【００３７】
【図１】本考案の単数収容型３枚重ねの光ディスクケースを示す分解斜視図である。
【図２】同上光ディスクケースを示す全体説明図であり、（Ａ）は平面図、（Ｂ）は（Ａ）中のＡ−Ａ線に沿う断面図である。
【図３】同上光ディスクケースの表面層を示す平面説明図である。
【図４】同上光ディスクケースの中間層を示す平面説明図である。
【図５】本考案の単数収容型の光ディスクケースにおける指穴付きケースを示す平面説明図である。
【図６】同上指穴付きケースの中間層を示す平面説明図である。
【図７】同上指穴付きケースの表面層を示す平面説明図である。
【図８】本考案の単数収容型光ディスクケースにおける蓋付きケースを示す分解斜視図である。
【図９】同上蓋付きケースを示す全体説明図であり、（Ａ）は平面図、（Ｂ）は（Ａ）中のＡ−Ａ線に沿う断面図である。
【図１０】本考案の複数収容型ケースを示す平面図である。
【図１１】本考案の単数収容型４枚重ねの光ディスクケースにおける蓋付きケースを示す分解斜視図である。
【図１２】同上蓋付きケースを示す全体説明図であり、（Ａ）は平面図、（Ｂ）は（Ａ）中のＡ−Ａ線に沿う断面図である。
【図１３】同上蓋付きケースの表面層を示す平面説明図である。
【図１４】同上蓋付きケースの中間層を示す平面説明図である。
【図１５】同上蓋付きケースのディスク支持用中間層を示す平面説明図である。
【符号の説明】
【００３８】
１０，２０，３０，４０，５０  光ディスクケース
１１  ベース層
１２  中間層
１２ａ  ディスク収容部（第１の開口）
１２ｂ  拡張部
１２ｃ  小開口（指穴）
１３  表面層
１３ａ  出入口（第２の開口）
１３ｂ  非開口部
１３ｃ  小開口（指穴）
１４  光ディスク
１５  折曲げ部
１６  蓋
１７  光ディスクケース
１７ａ  折曲げ部
１７ｂ  収容部
１８  ディスク支持用中間層
１８ａ  縮小孔（第３の開口）
【図１】
0003118423.tif 000003
【図２】
0003118423.tif 000004
【図３】
0003118423.tif 000005
【図４】
0003118423.tif 000006
【図５】
0003118423.tif 000007
【図６】
0003118423.tif 000008
【図７】
0003118423.tif 000009
【図８】
0003118423.tif 000010
【図９】
0003118423.tif 000011
【図１０】
0003118423.tif 000012
【図１１】
0003118423.tif 000013
【図１２】
0003118423.tif 000014
【図１３】
0003118423.tif 000015
【図１４】
0003118423.tif 000016
【図１５】
0003118423.tif 000017